【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
被写体を撮像して動画データおよび静止画データを生成する生成部と、
前記静止画データの送信指示を受け付ける受付部と、
前記静止画データ、前記動画データ、および他の無線装置による無線送信の禁止を指示する指示情報を無線で送信する送信部と、
バッテリー電圧を検出する電圧検出部と、
前記送信指示を受け付けた場合、前記静止画データを前記送信部に送信させると共に、前記電圧検出部が検出したバッテリー電圧が所定値より低い場合、前記送信部が前記静止画データを送信する前に、前記指示情報を前記送信部に送信させる送信制御部と、
を備える内視鏡スコープ。
【請求項２】
前記送信制御部は、前記電圧検出部が検出したバッテリー電圧が所定値より高い場合、前記指示情報を前記送信部に送信させない請求項１に記載の内視鏡スコープ。
【請求項３】
前記受付部はさらに、電源の切断指示を受け付け、
前記送信制御部は、前記切断指示を受け付け、かつ前記内視鏡スコープに前記静止画データが残っている場合、前記指示情報を前記送信部に送信させる請求項１に記載の内視鏡スコープ。
【請求項４】
他の無線装置を検知する装置検知部をさらに備え、
前記送信制御部は、他の無線装置が検知された場合、前記指示情報を前記送信部に送信させる請求項１に記載の内視鏡スコープ。
【請求項５】
前記電圧検出部が検出したバッテリー電圧が所定値より低くなった場合、前記静止画データの送信先であるプロセッサに前記バッテリー電圧の低下を通知する通知部をさらに備え、
前記送信制御部は、前記通知部によって前記バッテリー電圧の低下が通知された後に前記送信指示を受け付けた場合、前記指示情報を前記送信部に送信させる請求項１に記載の内視鏡スコープ。
【請求項６】
前記送信制御部はさらに、前記動画データの送信期間中に前記静止画データを前記送信部に送信させる請求項１に記載の内視鏡スコープ。
【請求項７】
前記送信制御部はさらに、前記送信部に、前記動画データの送信を抑制させて、前記静止画データを送信させる請求項１に記載の内視鏡スコープ。
【請求項８】
前記送信制御部はさらに、前記送信部に、前記動画データの送信を一時停止させて、前記静止画データを送信させる請求項１に記載の内視鏡スコープ。
【請求項９】
前記送信部は、同一周波数を利用する他の無線装置に対して、静止画データの２パケット分以上の送出に必要な時間、他の無線装置による無線送信の禁止を指示する前記指示情報を送信する請求項１に記載の内視鏡スコープ。
【請求項１０】
被写体を撮像して生成される動画データおよび静止画データを無線で送信する内視鏡スコープと、前記動画データおよび前記静止画データを受信して動画および静止画を表示するプロセッサとを有する無線内視鏡システムにおいて、
前記内視鏡スコープは、
前記動画データおよび前記静止画データを生成する生成部と、
前記静止画データの送信指示を受け付ける受付部と、
前記静止画データ、前記動画データ、および他の無線装置による無線送信の禁止を指示する指示情報を無線で送信する送信部と、
前記送信指示を受け付けた場合、前記指示情報を送信させた後に前記静止画データを送信させる送信制御部と、
バッテリー電圧を検出する電圧検出部と、
前記送信指示を受け付けた場合、前記静止画データを前記送信部に送信させると共に、前記電圧検出部が検出したバッテリー電圧が所定値より低い場合、前記送信部が前記静止画データを送信する前に、前記指示情報を前記送信部に送信させる送信制御部と、
を備える無線内視鏡システム。
【手続補正２】
【補正対象書類名】明細書
【補正対象項目名】０００７
【補正方法】変更
【補正の内容】
【０００７】
本発明は、上記の課題を解決するためになされたもので、被写体を撮像して動画データおよび静止画データを生成する生成部と、前記静止画データの送信指示を受け付ける受付部と、前記静止画データ、前記動画データ、および他の無線装置による無線送信の禁止を指示する指示情報を無線で送信する送信部と、バッテリー電圧を検出する電圧検出部と、前記送信指示を受け付けた場合、前記静止画データを前記送信部に送信させると共に、前記電圧検出部が検出したバッテリー電圧が所定値より低い場合、前記送信部が前記静止画データを送信する前に、前記指示情報を前記送信部に送信させる送信制御部と、を備える内視鏡スコープである。
【手続補正３】
【補正対象書類名】明細書
【補正対象項目名】０００８
【補正方法】変更
【補正の内容】
【０００８】
また、本発明の内視鏡スコープにおいて、前記送信制御部は、前記電圧検出部が検出したバッテリー電圧が所定値より高い場合、前記指示情報を前記送信部に送信させない。
【手続補正４】
【補正対象書類名】明細書
【補正対象項目名】０００９
【補正方法】変更
【補正の内容】
【０００９】
また、本発明の内視鏡スコープにおいて、前記受付部はさらに、電源の切断指示を受け付け、前記送信制御部は、前記切断指示を受け付け、かつ前記内視鏡スコープに前記静止画データが残っている場合、前記指示情報を前記送信部に送信させる。
【手続補正５】
【補正対象書類名】明細書
【補正対象項目名】００１０
【補正方法】変更
【補正の内容】
【００１０】
また、本発明の内視鏡スコープは、他の無線装置を検知する装置検知部をさらに備え、前記送信制御部は、他の無線装置が検知された場合、前記指示情報を前記送信部に送信させる。
【手続補正６】
【補正対象書類名】明細書
【補正対象項目名】００１１
【補正方法】変更
【補正の内容】
【００１１】
また、本発明の内視鏡スコープは、前記電圧検出部が検出したバッテリー電圧が所定値より低くなった場合、前記静止画データの送信先であるプロセッサに前記バッテリー電圧の低下を通知する通知部をさらに備え、前記送信制御部は、前記通知部によって前記バッテリー電圧の低下が通知された後に前記送信指示を受け付けた場合、前記指示情報を前記送信部に送信させる。
【手続補正７】
【補正対象書類名】明細書
【補正対象項目名】００１２
【補正方法】変更
【補正の内容】
【００１２】
また、本発明の内視鏡スコープにおいて、前記送信制御部はさらに、前記動画データの送信期間中に前記静止画データを前記送信部に送信させる。
【手続補正８】
【補正対象書類名】明細書
【補正対象項目名】００１３
【補正方法】変更
【補正の内容】
【００１３】
また、本発明の内視鏡スコープにおいて、前記送信制御部はさらに、前記送信部に、前記動画データの送信を抑制させて、前記静止画データを送信させる。
【手続補正９】
【補正対象書類名】明細書
【補正対象項目名】００１４
【補正方法】変更
【補正の内容】
【００１４】
また、本発明の内視鏡スコープにおいて、前記送信制御部はさらに、前記送信部に、前記動画データの送信を一時停止させて、前記静止画データを送信させる。
また、本発明の内視鏡スコープにおいて、前記送信部は、同一周波数を利用する他の無線装置に対して、静止画データの２パケット分以上の送出に必要な時間、他の無線装置による無線送信の禁止を指示する前記指示情報を送信する。
【手続補正１０】
【補正対象書類名】明細書
【補正対象項目名】００１５
【補正方法】変更
【補正の内容】
【００１５】
また、本発明は、被写体を撮像して生成される動画データおよび静止画データを無線で送信する内視鏡スコープと、前記動画データおよび前記静止画データを受信して動画および静止画を表示するプロセッサとを有する無線内視鏡システムにおいて、前記内視鏡スコープは、被写体を撮像して動画データおよび静止画データを生成する生成部と、前記静止画データの送信指示を受け付ける受付部と、前記静止画データ、前記動画データ、および他の無線装置による無線送信の禁止を指示する指示情報を無線で送信する送信部と、バッテリー電圧を検出する電圧検出部と、前記送信指示を受け付けた場合、前記静止画データを前記送信部に送信させると共に、前記電圧検出部が検出したバッテリー電圧が所定値より低い場合、前記送信部が前記静止画データを送信する前に、前記指示情報を前記送信部に送信させる送信制御部と、を備える無線内視鏡システムである。